(57)【要約】【課題】カードによる決済を安全、迅速に機密保持を高度に保って、改ざん、なりすまし等の悪用を防いで、かつ利便性の向上を図ることを目的に本人認証を確実におこなう。【解決手段】カードにあらかじめ本人認証用の指紋パターン、顔の輪郭、骨格、眼の虹彩等の特徴を記憶、登録する。カードの使用時にあらためて本人認証をカード上よりおこなって、カード内の認証パターンと比較照合する。一致していれば所定時間の使用を可能にする。一回使用すれば、再度本人認証しなければ使用不可能にする。所定時間内に使用されなければ、カードの使用は無効にする。カード読取装置にも本人認証機能をもたせて、カードと併用して高度な安全性と機密を確保する。【選択図】　　　　　図１
2004070894.tif 000002
【特許請求の範囲】
【請求項１】
電子商取引、クレジットカード、銀行カードに係わるカードとその読取装置に関するシステムであって、
カードに予め本人認証用のパターンを登録記憶する手段、
カードを使用する際にカードに本人であることを認証させてカードの使用が所定時間の間、使用可能になる手段を備えたことを特徴とする本人認証付カードシステム。
【請求項２】
前記請求項１において、カードに本人認証させる手段と、
本人認証後、カードの使用時間を限定する手段、
所定の時間経過後に無効にする手段と
カードの使用前に入力した本人認証用パターンを消去する手段を備えたことを特徴とする本人認証付カードシステム。
【請求項３】
本人認証用パターンは、指の指紋、顔の輪郭、骨格、眼の虹彩を特徴抽出する手段、
カードに登録する本人認証パターンは、暗号化して記憶登録する手段を備えたことを特徴とする本人認証付カードシステム。
【請求項４】
カードとその読取装置の使用に対して、読取装置にカード同様の本人認証用パターンを記憶する手段、
使用前にカード読取装置に本人認証の手段をおこなって、読取装置の使用を可能とする手段を備えたことを特徴とする本人認証付カードシステム。
【請求項５】
前記記載の本人認証の指紋の確定方法は、指紋のパターンの認識手段と、単数又は、複数の指の指紋パターンを照合する手段、
指の種類の特定と、該指の認識順序を決めて本人認証をおこなう手段を備えたことを特徴とする本人認証付カードシステム。
【発明の詳細な説明】
【０００１】
【発明の属する技術分野】
本発明は、近年進展の著しいＩＴ社会に適応したシステムであって、電子決済に必要な、本人認証付カードシステムを提供するものである。電子決済、各種のカードには本人認証は、安全確度の高度なものでなければ社会不安、経済の混乱を招く。現在カードの使用は、安易に本人が持参して暗証番号のみに頼っている。改ざん、なりすまし等の悪用は後をたたない。
【０００２】
改ざん不可能で、なりすましを防止するには、高度な本人認証を必要とする。高度情報化社会に必要な、特に決済、機密保持に最適で利便性の高い安全確実なカードシステムを提供する。
【０００３】
【従来の技術】
例えば従来、銀行カード、クレジットカードにおいては、暗証番号（パスワード）を本人認証としてほとんどの人が使用している。これらのコード番号は、一般には自分の誕生日、家の電話番号がほとんどで他人に悪用されやすいし、カードを盗まれたり、紛失した場合にも暗証番号を簡単に読み取られてしまうという欠点があった。指紋認証、顔の特徴抽出した本人認証は、現在パソコンの使用、部屋のセキュリテイ用に試験的に使用されている。これらのシステムはソフトウエアの比重が重くて、日常に使用するカードには適用不可能である。
【０００４】
【発明が解決しようとする課題】
このため、機密性の高い決済にはカードの使用を避けてわざわざ銀行等の金融機関、取り引き先に出向いて書面での決済をおこなっていた。あるいは、ホテルのエントランスカードもその都度チェックイン時に発行してもらうが、前述したように紛失したりした際に悪用されることが度々あった。紛失しなくとも容易に侵入可能で被害も多かった。
【０００５】
【発明の目的】
本発明は、かかる従来例の有する不具合を改善し、特に、使用直前のカードに本人認証をして、一定時間の間のみ使用可能にして安全の確度と容易に使用できるようにした。
【０００６】
【課題を解決するための手段】
本発明は、かかる不具合を解決するために請求項１では、カードの内部に記憶されている本人の指紋および紋様のパターンと、カードの使用時に本人認証のために指紋、紋様を入力して照合して一致していれば、一定時間の間カードを使用可能の状態にする。請求項２の発明は、所定時間の間に使用されなければ、カードの使用は無効になる。紛失しても悪用されない。さらに、一度使用すれば入力した本人認証用の指紋のパターンは消去される。即ち、使用の都度安全上本人認証する。
【０００７】
また、請求項３記載の発明は、指の単一の指紋だけでなく複数の指の指紋によって、本人認証を確実なものにする。かつ、入力する指の指紋の順序も本人認証の判定の対象にする。さらに指紋だけでなく、顔の輪郭、骨格、眼の虹彩の特徴も応用に応じて本人認証の判定に用いる。
【０００８】
請求項４の発明では、カードの読み取り装置にも同様の機能を備えておき、使用の都度、カード読取機とカードそのものに本人認証をおこなって高度な安全性、と機密性を保持した。
【０００９】
所定時間とは、カードを使用する際の極めて短い時間単位であって、たとえば１日などの長い時間ではない、５分、１０分の少なくとも１時間は越えない単位である。
【００１０】
発明者は、これらの方式をＴＷＣＳ（テラウエア・カード決済・システム）方式と命名した。このＴＷＣＳ方式のカードシステムによって前述した目的を達成しょうとするものである。
【００１１】
【発明の実施の形態】
【００１２】
以下、本発明の第１実施形態を図１から図９に基づいて説明する。本発明は、常に使用者が」携帯するカードそのものに認証機能を付加して、使用の都度本人であることをカードに認識させて実行するから、高度な安全性を保つことができる。後述するカード読み取機と併用して、さらに安全性が高められる。ＩＴ（Ｉｎｆｏｒｍａｔｉｏｎ　Ｔｅｃｈｎｏｌｏｇｙ）社会における、ｅコマース（電子商取引）に必要な本人認証を確実なものにしようとすることを目的にする。
【００１３】
図１は、本人認証付きカードの内部ブロック構成図を示す。カードは、定期券、テレホンカードと同じ外形で、内部にはＣＰＵ、メモリ、通信装置が印刷されている。ＣＰＵ機能、通信装置はμチップ（日立製作所、商品名）のようにチップサイズは、０．４×０．４平方ミリ程度の微小サイズの中に埋め込まれている。通信周波数は、２，４５ＧＨＺで微弱電波を送受信する。
【００１４】
１０１は、カードのあるシステムバス、１０２はＧＰＳ（Ｇｌｏｂａｌ　Ｐｏｓｉｔｉｏｎ　Ｓｙｓｔｅｍ）のアンテナでカード内に印刷されたり、埋め込まれている。１１０もカードと外部機器を無線で接続する送受信部であって、１０２のアンテナを供用する。１０３は、位置認識用のＧＰＳを示す。
【００１５】
１０４は、カードシステムの演算用ＣＰＵで１０５はそのメモリをしめす。このメモリは、プログラムメモリと演算用メモリを含むもので、ＲＯＭ，ＲＡＭである。
【００１６】
１０６は、本人であることを確認するパターンメモリである。本人確認パーターンは、指の指紋、手のひらの紋様、眼の虹彩、顔の輪郭、骨格等の特徴を抽出して１０６に記憶される。これらのパターンは１１２の認証部から入力する。
【００１７】
符号１１２の認証部は、指の指紋、手のひらの紋様であれば図示してない光学系よりセンサーに入力する。眼の虹彩、顔の輪郭、骨格であれば１１２の認証部は、レンズ系、即ちカメラから入力する。これらの手段によって入力したデータは特徴抽出して１０６のパターン記憶部に入力する。
【００１８】
１０６に記憶される本人認証用のデータは、機密保持をより高度にしたい場合は、暗号化して外部に出ても分からないようにすることも可能である。１０７は、カードの外部とのインタフェースでカード上にある表示ランプ１０８、キースイッチ１０９に接続する。
【００１９】
カードが有効状態であれば、１０８は、緑、青等を発光して、無効状態であれば赤、黄色を発光する。有効とは、本人認証をおこなって使用するまで、または認証後一定時間カードは有効状態にある。無効とは、まだ認証していないか、カードの認証をおこなってから所定時間経過して使えない状態をいう。
【００２０】
１１３は１１２より入力された認証用パターンの演算をおこなって、特徴抽出の演算部であって、格納されている本人の登録パターン１０６とのマッチング、即ち、照合をおこなう。１１４は、パスワードの照合部であって、機密保持を厳重にする場合に暗証番号を併用する。カード上のタッチキーより入力する。
【００２１】
１１５は、押圧センサーで指、手のひらの紋様を読み取る場合、指、手のひらが触れたとき反応する。又、顔の輪郭、骨格の入力時には顔を近づけてここを指等で押せば、本人認証パターンの照合と判断できる。
【００２２】
１１０はカードと外部機器との入出力部である。１１１は電磁波、誘導波であって例えば、カード読み取り装置に近づけたときに読み取り装置のほうから１１１の電磁波を発信してカード内のシステムは、外部より電源を得て稼動状態になる。本カード自身は、原則電源をもたない。ただ、図示していないがコンデンサーをおいて小時間の電源を保持できる。
【００２３】
図２は、本発明によるカードの外観図を示す。少なくとも二つの構成があって、図２（ａ）は、指の指紋、手の紋様から本人を認証する方法で、図２（ｂ）は、カメラ付きの構成であって、眼の虹彩、顔の輪郭、骨格から本人の認証を行う方法である。
【００２４】
図２（ａ）には、２０１はカード本体、２０２はアンテナ、２０３はＣＰＵ、メモリ等の機能素子、２０３は指紋、手の紋様を読み取るセンサーである。指紋、紋様があとまで残らないように、一回だけの使用で終わるように２０４の表面は、ガラス状であって、凹凸面上でギザギザした構造になっている。２０４の表面が汚れてきて判読不能になれば、表示器２０５、２０６を点滅させて、使う人に清掃するよう注意信号でおくって促す。
【００２５】
図２（ｂ）の２１０は、カメラ付きカードである。図２（ａ）とは別の実施形態であって、２１１のカメラが内蔵されている。図２（ａ）では、指紋、手の紋様によって本人認証をおこなったが、この例では顔の輪郭、顔の骨格によって本人認証をおこなう。
【００２６】
使用者は、本人認証のために、図２（ｂ）の２１１に顔を近づける。カード２１０が認証できれば表示ランプ２０５の緑色が点灯するか、ピーという軽い音声をカードから発する。認識できないときは、２０６の赤ランプが点灯して、断続音を発生して、再度の認識を促す。
【００２７】
図２（ａ）も同様で、指紋、手の紋様が上手く認識できたら２０５の緑色ランプが点灯して軽い音声を発生する。上手く認識できないときは、再度入力するように赤、又は黄色のランプ２０６が点滅して使用者に入力を促す。
【００２８】
図２（ａ），（ｂ）とも２０７のキースイッチを配列しているが、簡略化のために、必要に応じて無くても機能は達成できる。安全をより確保するためにパスワードの入力用として使用する場合は、このキースイッチを設ける。
【００２９】
図３（ａ），（ｂ）は、指の指紋、手の紋様を図２（ａ）の２０４のセンサーで読み取ったパターンである。図３（ａ）は指紋の例で３０１は指紋をしめす。指紋は、親指、人差し指、小指等あって一つだけでは安全上不備の場合は、複数の指を登録する。
【００３０】
３０２、３０３、３０４で示したドットは指紋の軌跡をしめす。人によって指紋のパターンは、異なるのでこの軌跡も人によって違う。カードに認証用と登録したパターンを指紋と軌跡パターンを記憶して入力された指紋からパターンと指紋の軌跡をカード内の演算装置で生成して、それと照合して一致していればこのカードは、有効になる。
【００３１】
図３（ｂ）は、他の指の指紋のパターンを示す。図３（ａ）を親指としたら（ｂ）は小指とする例である。図３（ｂ）の３０８は他の指の指紋のパターン３０５、３０６、３０７は指紋の軌跡を示す。判定方法は図３（ａ）と同様である。手のひらを登録した場合も同様であって、登録する部分を左右の手のひらの個所を登録する。判定方法は前述したとうりである。
【００３２】
左右ある指の１０本のどれを登録して、認証に使うか指紋入力する順序も認証の判定材料になる。手のひらも同様である。それほど重要度を必要としない場合は、一つの指紋登録で十分である。
【００３３】
図４は、図２（ａ）の２０４の指紋認識部の詳細図である。図４において４０１は指紋読み取り装置、４０２は指紋押捺部であってガラス基板で出来ている。本発明では、一回だけの使用で、認識したら消滅させることに特徴がある。４０３では、指紋の紋様があとに残らないように４０２のガラス基板に突起をつけておく。
【００３４】
４０４は、人の指をしめす。４０５は指紋読み取りのための発光源で、ＬＥＤ，ＥＬ，ランプ等が用いられる。４０６は指紋をよみとるセンサーであって、普通は、ＣＣＤエリアセンサー、又はＣＣＤラインセンサーをスキャンして指紋を読み取る。
【００３５】
４０７は、指紋読み取り部４０２に指又は、手を乗せたかどうか検知するセンサーであって、指、手の重みで検知しる押圧センサーである。４０２に指、手を触れると指紋認識の準備体制がカードの内部でとられる。
【００３６】
図５は、カード２０１とカード読み取り装置５０１の使用状態を示した図である。まず、使用者はカード２０１の指紋認識部２０４に指をおいてカードに本人であることを認識させる。
【００３７】
つぎに、カード読取機５０１の指紋認識部５０３に指をあてて、本人認証をおこなう。５０１は銀行のＡＴＭ，ホテルのドア、金庫等に取り付けてあって、使用の都度指紋認証をカード２０１とカード読み取り装置５０１の５０３で行うからセキュリテイは、二重にガードされる。
【００３８】
５０２は電磁波であって、５０１から発信する。２０１のカードは電源をもたなくとも非接触でカードは、電磁波をうけて稼動する。認証されていれば、カードと読取機は接触させなくとも近づければ、機能する
【００３９】
図６は、カード読取機の内部構成を示すブロック図である。図において６０１は読取機５０１のシステムバス、６０２は演算装置、６０３は、ＲＯＭ，ＲＡＭ等のプログラムメモリを含む記憶部である。
【００４０】
６０４は、指紋のパターン記憶部でパターンおよび、眼の虹彩、顔の輪郭、特徴、骨格も記憶され、本人認証の基本パターンとして記録してある。機密性の確保のためにこれらの情報を暗号化して記録しておく。公衆通信網を介して本人認証の指紋等のパターンを送付する場合は、生データを送るのは危険である。
【００４１】
６０５は外部とのインタフェース、６０６は表示機、６０７はキースイッチでパスワードと併用して、安全の確保をおこなう場合に使用する。
【００４２】
６０３は認証部である。図５の５０３の部分であって、指紋、顔の輪郭、骨格を入力して、６０４に記憶、登録されている認証データと比較照合される。６０９は、演算部であり６０８にて入力した指紋、顔の輪郭、骨格をデータ化するために演算をおこなう。さらに必要に応じて暗号化のアルゴリズムも生成する。６０９はこれらの処理に必要なＤＳＰ（Ｄｉｇｉｔａｌ　Ｓｉｇｎａｌ　Ｐｒｏｃｅｓｓｏｒ）を備えている。
【００４３】
６１０は、暗証番号を併用する場合の照合部であり、６０８にて入力した指紋、顔の輪郭、骨格を６０４のパターン記憶部に登録してあるデータとの照合をおこなう。６１１は外部機器とのインタフェースで６１２の電磁波を発信して、外部機器のデータを読み取る。外部機器に電源がない場合は６１２の電磁波から電源を供給して、外部機器を稼動させる。図５のカード２０１はこの模式を示している。
【００４４】
図７（ａ）は、ホテル、マンションのドアロックに本システムを応用した例を示す。７０６は、ホテル、マンションをしめす。５０１はカード読取装置でここに、図５に示したカード２０１に自分の指紋、顔の輪郭等を認識させて、５０１にも同様に認識させてカード２０１を接触、又は近づけるとドアロックは、解除される。
【００４５】
符号７０１、７０３はドアで７０２、７０４はドアノブである。カード自体にまず自分を認識させて、カード読取機にも本人認証させるから、本システムは最強な安全性を確保できる。
【００４６】
厳重な本人認証を行うから現金の出し入れに本システムは、最適である。図７（ｂ）は、銀行のＡＴＭ（現金自動支払機）に応用した例を示す。７０７は、現金自動支払機であるＡＴＭで７０８はＡＴＭのタッチパネルを示す。５０１は、本人認証付カード読取機を示す。使用者は、図７の本人認証カード２０１を使うから安全性は十分確保できる。
【００４７】
図７の使用例で、５０１の読取機、２０１のカードともに本人認証を確認後、はじめて使用可能になる。５０１を省略し簡略化して、従来のカードを２０１にかえて暗証番号（パスワード）と併用すれば安全性は確保できるから、この方法でもよい。
【００４８】
仮に使用者がカードを紛失しても、指紋、顔の輪郭、骨格の特徴をカードに本人認証させないと使えない。かつ、所有者はカードに本人認証させてから紛失したとしても、所定時間経過すれば無効になる。再度の本人認証が必要であるから他人に悪用される危険はない。
【００４９】
カード２０１の中にあるデータを改ざんしようとしても、本人認証の指紋等のデータは、暗号化されているから簡単に複製はできない。
【００５０】
図８はホテル、銀行の貸し金庫等における応用例をしめすサービススポット（ホットスポット）の広がりを示す図である。８０１、８０２、８０３は、サービススポットであり、エントランスにあるサーバ８０４にて利用者は、本人認証をおこなう。８０７は、登録機であって本人認証に必要な各指の指紋、顔の特徴、骨格の特徴等を認識してサーバ８０４に登録する。
【００５１】
登録した個人のデータは無線、有線にてサービスポットごとに設置されている親機、８０５、８０６の無線送受信装置に送られる。８０５、８０６より本人認証のデータが５０１に無線、ブルーツースの手段をもちいて５０１に入力される。
【００５２】
使用者は２０１のカードを５０１に接触させればロックは解除される。８０５、８０６のエリアはサービススポットであって、ホテルのフロアの場合、一つか二つあればカバーできる。大きなエリアの場合は、広さに応じて８０５、８０６を増やしていけばサービスエリアは広がっていく。８０８は、ブルーツースの微弱電波である。
【００５３】
ブルーツースの規格は、ＩＥＥＥ８０２．ａ及びｂ、ｇ、ｈがある。現在は８０２．ｂが主に街中のホットスポットとよばれるハンバーガチェーン店、駅等で無線ＬＡＮとして使用されている。機能的には、今後８０２．ｇが普及する。
【００５４】
図９は本実施形態のフロー図をしめす。本人認証に例として右手親指、右手人さし指、右手くすり指の三つの指紋のパターンから本人の認証をおこなう。
当然、前述したようにカードにカメラを備えて眼の虹彩、顔の輪郭、骨格の特徴を抽出して認証の判定にしてもよい。
【００５５】
図９において、Ｓ９０１はカードを使用可能にするためにカードに本人認証をおこなうステップである。カードには、本人認証の登録がされていることが前提である。本例では、右手の三つの指の指紋が登録されている。どこの指が登録されているか、登録の順序は本人しか知らない。
【００５６】
右手三本の指の指紋認証の順序も認証の判定になる。カードへの登録は、カードシステムの管理会社のサーバ、図８の８０４と登録機８０７によって生成する。又、適宜登録パターンを変更することもできる。カードが所定期間使用されてない場合は、内部の登録パターンを自ら破壊して、悪用を防止する。
【００５７】
カード２０１にはＧＰＳを内蔵しているから、落としたり紛失しても図示してない無線サイトをらカードの位置の特定ができる。
【００５８】
Ｓ９０２は、右手親指の指紋の認証をおこなう。Ｓ９０３でカードに登録してあるパターンと照合する。一致していればＳ９０４に進み右手人さし指の指紋のパターンをＳ９０５で照合する。同様に一致していればＳ９０６で右手くすり指の指紋のパターンをＳ９０７で照合する。
【００５９】
指の指紋認証の順序とパターン（紋様）がすべて一致していればＳ９０８でこのカードは有効になる。即ち、使えるカードになる。Ｓ９０９ではカードを実際に使用する。ＡＴＭあるいは、普通のクレジットカードと同様に、カードによるショッピングも楽しめる。
【００６０】
前述したように、一回使用したら又カードに再度認証が必要である。Ｓ９１０は、本人認証してカードを有効にしても所定時間の間に使用されなければ、Ｓ９１１にてカードに認証させた右手の三つの指の指紋は、安全確保のために消去される。所定の期間使用されなければカードに登録してある、認証用の登録パターンは破壊される。一定の間隔で使用していれば、登録パターンは保持される。
【００６１】
図１０のフロー図は、本人認証付カードとカード読取機を併用して使用する際の実施形態である。図７（ａ），（ｂ）に示すように安全確保を一層、必要とするホテルのドアロック、金融機関のＡＴＭ等に使用される。
【００６２】
Ｓ１００１は、まずカードそのものに指紋捺印してから本人認証をしてカードを使用できる状態にする。図９と同様に一本の指では不安の場合は、カードに登録してある順序で右手、左手の指の種類と順序で認識させる。前述したように指紋認証以外の場合は、顔の輪郭、骨格の特徴をカードに認識させる。
【００６３】
Ｓ２００２では、カードに登録してあるパターンと照合して一致していれば、カードは使用状態になる。Ｓ１００３では、今度はカード読取機に本人認証させる。手順は、カード本体への認証と同じである。Ｓ１００４で照合して一致していれば、カード読取機も使用可能になる。先にも述べたように所定時間以内にカード、読取機とも使用しないと無効になるから認識操作を行なったらすぐ使うのが原則である。
【００６４】
Ｓ１００５では、認識させた使用可能（ホット）状態のカードを同様にホット状態の読取装置に接触させる。Ｓ１００６では、カードと読取機に入力したパターンの照合をおこなう。Ｓ１００７では、一致していればＳ１００８でカードは使用状態になって、Ｓ１００９でカードは使用されてドアのロックの解除、ＡＴＭでの使用が可能になる。
【００６５】
Ｓ１０１０では、カードが使用されたので認識した指紋は消去されて、再度の使用は出来ない。再度の使用には、再認証が必要である。カード読取機も同様である。Ｓ１０１１では、所定時間内に認証したカード、読取機を使用しないとＳ１０１０で認証した指紋パターンは、消去される。所定期間経過していなければＳ１０１２でカード読取機とも有効である。
【００６６】
金融機関等のカード読取機の登録パターンは、認証管理をネット上のウエブサイトでおこなう。この場合、銀行通帳の印鑑と同じように管理するから、悪用を防ぐために、暗号コードで指紋パターン、指の種類、順序、顔の輪郭、骨格、眼の虹彩の特徴を記録しておく。かつ一定期間が経過したら、登録パターンの変更を金融機関等の管理センターから促す。
【００６７】
ホテル、デパート等における使用は、図８で説明したように受け付け、エントランスで登録をおこなう。デパート、スーパマーケット、量販店においては、管理センターを設けて指紋等の登録パターンを管理して便宜をはかってもよい。
【００６８】
本システムを現金決済として、広がりつつあるデビットカードに応用してもよい。安全性は、現システムのパスワードより数段よくなる。さらに、進展するＩＴ時代の電子決済、ｅコマースの安全を確保した運用に不可欠なシステムである。
【００６９】
【発明の効果】
本発明は、以上のように構成され機能するので、これによると従来のクレジットカード、銀行カードのように暗証番号だけで認証をおこなわないで、カード自体に登録してある指の単体、複数の指紋、本人の特徴パターンそのもの又は、暗号化して記憶してあって、カードを使用する直前にカードに本人認証してホット状態（使用可）にして使用できる。
【００７０】
ホット状態にして所定時間経過しても使用されないときには、入力した認証用パターンは消滅して使用不可になる。従って紛失したり、盗難にあっても被害はない。
【００７１】
金融機関、ホテル、スーパー等においては、カード読取機も前述したカード同様に、ホット状態にしてカードを読み込ますから安全性はさらに高度になる。かつ、改ざん、なりすまし等の悪用はできない。従って、多額な現金決済にきわめて有効な効果を発揮する。
【図面の簡単な説明】
【図１】カードの内部構成を示すブロック図である。
【図２】カードの外観を示す図である。
【図３】指の指紋、手のひらの紋様と軌跡を示す図である。
【図４】指の指紋を読み取る方法を示した模式図である。
【図５】カードとカード読取機の接触の状態を示した図である。
【図６】カード読取機の内部構成を示したブロック図である。
【図７】ドアロックと現金自動支払機に応用したことを示す図である。
【図８】本システムのサービススポットへの広がりを示す図である。
【図９】カードに本人認証の手順を示すフロー図である。
【図１０】カードとカード読取機の使用の手順を示すフロー図である。
【符号の簡単な説明】
１０１　　　　　　　　　　　　　カードの内部バス
１０２　　　　　　　　　　　　　ＧＰＳアンテナ
１０３　　　　　　　　　　　　　ＧＰＳ
１０４、６０２　　　　　　　　　中央演算装置、ＣＰＵ
１０５、６０３　　　　　　　　　メモリ、ＲＯＭ，ＲＡＭ
１０６、６０４　　　　　　　　　パターン記憶部、登録部
１０７、６０５　　　　　　　　　入出力部
１０８、２０５、２０６、６０６　表示部
１０９、２０７、６０７　　　　　キースイッチ
１１０、６１１　　　　　　　　　無線入出力装置
１１１、５０２、６１２、　　　　電磁波、誘導波
１１２、６０８　　　　　　　　　認証部
１１３、６０９　　　　　　　　　演算部
１１４、６１０　　　　　　　　　暗証番号識別部
２０１、２１０　　　　　　　　　本人認証カード
２０２　　　　　　　　　　　　　アンテナ
２０３　　　　　　　　　　　　　ＣＰＵ，メモリ、機能素子
２０４、５０３　　　　　　　　　指紋認証部
２１１　　　　　　　　　　　　　カメラ
３０１、３０８　　　　　　　　　指紋、手の紋様
３０２，３０３，３０４　　　　　指紋、紋様の軌跡
３０５、３０６，３０７　　　　　指紋、紋様の軌跡
４０１　　　　　　　　　　　　　指紋読取装置
４０２　　　　　　　　　　　　　指紋認証用タッチ板
４０３　　　　　　　　　　　　　突起部
４０４　　　　　　　　　　　　　人の指
４０５　　　　　　　　　　　　　発光部
４０６　　　　　　　　　　　　　パターン読取センサー
４０７　　　　　　　　　　　　　押圧センサー
５０１　　　　　　　　　　　　　カード読取装置
７０１、７０３　　　　　　　　　ドア
７０２、７０４　　　　　　　　　ドアのノブ
７０６　　　　　　　　　　　　　ホテル、マンション
７０７　　　　　　　　　　　　　自動現金支払機
７０８　　　　　　　　　　　　　タッチパネル
８０１　　　　　　　　　　　　　フロント、エントランス
８０２、８０３　　　　　　　　　サービススポット
８０４　　　　　　　　　　　　　本人認証パターン登録用サーバ
８０５，８０６　　　　　　　　　無線送受信機
８０７　　　　　　　　　　　　　本人認証登録機
８０８　　　　　　　　　　　　　無線電波
【図１】
2004070894.tif 000003
【図２】
2004070894.tif 000004
【図３】
2004070894.tif 000005
【図４】
2004070894.tif 000006
【図５】
2004070894.tif 000007
【図６】
2004070894.tif 000008
【図７】
2004070894.tif 000009
【図８】
2004070894.tif 000010
【図９】
2004070894.tif 000011
【図１０】
2004070894.tif 000012